(57)【要約】【課題】  被写体をフィルムカメラとデジタルカメラで同時に撮影して両者の相乗効果を図るためには、両者のシャッター動作特性に対応して如何に精度良く両者を同期させるかが重要な点となっている。【解決手段】  そこで本発明では、同期装置本体１と、リモートスイッチ２と、フィルムカメラ３及びデジタルカメラ４の夫々のリモートレリーズ機能入力部と同期装置本体のリモートレリーズ機能出力部とをコネクタを介して接続するケーブル５，９とを構成要素とし、フィルムカメラとデジタルカメラに夫々対応するリモートレリーズ機能出力部に遅延時間設定手段により設定した遅延時間を隔てて夫々のリモートシャッターレリーズ信号を発生させるフィルムカメラとデジタルカメラの同期撮影装置を提案している。【選択図】    図１
2006243148.tif 000002
【特許請求の範囲】
【請求項１】
同期装置本体と、リモートスイッチと、フィルムカメラ及びデジタルカメラの夫々のリモートレリーズ機能入力部と同期装置本体のリモートレリーズ機能出力部とをコネクタを介して接続するケーブルとを構成要素とし、同期装置本体には、リモートレリーズ機能出力部に接続したフィルムカメラのケーブルにより機種を判別する機種判別手段と、遅延時間を選択可能な遅延時間選択手段と、機種判別手段で判別した機種と、遅延時間選択手段で選択した遅延時間とから、フィルムカメラのリモートシャッターレリーズ信号に対するデジタルカメラのリモートシャッターレリーズ信号の遅延時間を設定する遅延時間設定手段と、フィルムカメラとデジタルカメラに夫々対応するリモートレリーズ機能出力部に上記遅延時間設定手段により設定した遅延時間を隔てて夫々のリモートシャッターレリーズ信号を発生させるためのリモートシャッターレリーズ信号発生手段とを備えたことを特徴とするフィルムカメラとデジタルカメラの同期撮影装置。
【請求項２】
デジタルカメラのリモートシャッターレリーズ信号発生手段と対応するリモートレリーズ機能出力部間に、調節可能な遅延時間を付加して、フィルムカメラのリモートシャッターレリーズ信号に対するデジタルカメラのリモートシャッターレリーズ信号の遅延時間を調整可能な遅延時間調整手段を設けたことを特徴とする請求項１に記載のフィルムカメラとデジタルカメラの同期撮影装置。
【請求項３】
遅延時間調整手段は、カスケード接続した２つの単安定マルチバイブレータにより構成し、前段の単安定マルチバイブレータのパルス幅の調整により付加する遅延時間を調節可能とし、後段の単安定マルチバイブレータによりリモートシャッターレリーズ信号を発生させることを特徴とする請求項２に記載のフィルムカメラとデジタルカメラの同期撮影装置。
【請求項４】
フィルムカメラのケーブルには、コネクタの複数の空きピンから、機種に応じて選択した空きピン間を短絡することにより機種判別情報を持たせ、同期装置本体の機種判別手段は、短絡した空きピンに対応する同期装置本体側のコネクタのピンに接続した機種判別線の信号を検出して行う構成としたことを特徴とする請求項１に記載のフィルムカメラとデジタルカメラの同期撮影装置。
【請求項５】
リモートレリーズ機能には、リモートシャッターレリーズ機能にオートフォーカス機能を加えており、リモートスイッチには、オートフォーカス機能に対応するスイッチ部と、リモートシャッターレリーズ機能に対応するスイッチ部とを設けたことを特徴とする請求項１に記載のフィルムカメラとデジタルカメラの同期撮影装置。
【請求項６】
リモートスイッチは、共通の押しボタンの押動操作において、オートフォーカス機能の動作範囲の内側にリモートシャッターレリーズ機能の動作範囲を設定した構成としたことを特徴とする請求項１に記載のフィルムカメラとデジタルカメラの同期撮影装置。
【発明の詳細な説明】
【技術分野】
【０００１】
本発明は、フィルムカメラとデジタルカメラの同期撮影装置に関するものである。
【背景技術】
【０００２】
従来、写真館等では、高品質の写真プリントが得られることから、銀塩フィルム上に被写体像を露光し、これを現像処理するフィルムカメラが用いられてきた。
【０００３】
しかしながらフィルムカメラでは、高品質の写真プリントが得られるという利点は有するものの、撮影した画像はプリント処理が終わるまで確認することができないため、複数枚の写真を撮影した直後に、客が好みの写真を選択するということはできなかった。またフィルムカメラでは、撮影後に画像を修正するのが比較的困難であるという欠点を有していた。
【０００４】
一方、デジタルカメラにおいては、近来、プリンタの高品質化と相俟って、写真プリントの品質の向上はめざましいものがあるが、画質の点では、やはりフィルムカメラに一日の長があるのが現状である。
【０００５】
そこで近来、被写体をフィルムカメラとデジタルカメラで同時に撮影することにより、両者の相乗効果を図り、上述したような欠点を補う各種技術が提案されている。
【０００６】
まず特許文献１には、銀塩フィルムに被写体像を露光する露光手段の光学系と、前記被写体像に対応する画像を固体撮像素子上に結像しその固体撮像素子から出力される画像信号を記録する画像信号記録手段の光学系とを別々に構成すると共に、前者の光学系を構成するレンズと、後者の光学系を構成するレンズを、カメラ本体に対して上下に配置し、カメラ本体には、前記画像信号に基づく画像を表示するためのモニターを設け、更にこのモニターに表示される画像範囲が前記銀塩フィルムに露光される被写体像と同じになるように、被写体像との距離に応じて前記画像信号を処理する画像信号処理手段を設けた構成の、フィルムカメラとデジタルカメラを一体化したカメラが提案されている。
【０００７】
また特許文献２は、フィルムカメラとデジタルカメラの双方による被写体の撮影においてタイムラグのない映像信号を得るデジタルカメラを提供することを目的としており、シャッタ制御手段は、レリーズ手段からのレリーズ信号に同期した第１の駆動信号をフィルムカメラのシャッタに供給してこのシャッタを開放状態にしてフィルムカメラのフィルムの露光を行なうと共に、このレリーズ信号に同期した第２の駆動信号をデジタルカメラの撮像手段に供給し、撮像手段の電子シャッタを開放状態として撮影を行う技術を提案するものである。即ち、この特許文献１では、レリーズ手段からレリーズ信号によりフィルムカメラとデジタルカメラのシャッター駆動信号を同時に発生させて撮影を行うものである。
【０００８】
【特許文献１】特開平９−３１１３７８号公報
【特許文献２】特開平８−２２３４６０号公報
【発明の開示】
【発明が解決しようとする課題】
【０００９】
しかしながらこのような従来技術では以下に示すような課題がある。
まず、特許文献１では、フィルムカメラとデジタルカメラを一体化した特殊なカメラを新たに製作するものであるから、長年に渡って使用され、改良されてきて、写真館等の専門家の間で好んで使用されている名機といわれるような既存の機種のフィルムカメラを利用することができず、またデジタルカメラにしても、近来、性能がめざましく向上してきて、専門家の使用にも耐えるような既存の機種を利用することもできない。
【００１０】
一方、特許文献２では、フィルムカメラとデジタルカメラとを同期信号発生器により同期させて撮影を行うものであるから、使用するカメラとしては、性能の良い既存のフィルムカメラやデジタルカメラを使用することも可能ではあるが、この文献において提案されている夫々のカメラの同期方法では、文献の図３に示されているように、レリーズ手段からのレリーズ信号によりフィルムカメラとデジタルカメラのシャッター駆動信号を同時に発生させて撮影を行うものであり、夫々のカメラにおいてシャッター駆動信号が入力されてから実際に撮影が行われるまでのシャッター動作時間を考慮していない。
【００１１】
一般に写真館等の専門家が使用するフィルムカメラやデジタルカメラは、撮影用とファインダー用のレンズを共用し、シャッターの動作に先立ってミラーが跳ね上がる構造の、いわゆる一眼レフカメラと称される構造のものが多い。しかしながら同じ一眼レフとは云っても、一般にデジタルカメラにはフィルムカメラの一眼レフが有するフォーカルプレーンシャッターがないので、シャッターレリーズスイッチをＯＮとしてから実際に露光するまでの時間は、機種によって大きく異なるが、例えばデジタルカメラの方が１００ms程度早いという傾向がある。
【００１２】
図９はシャッターレリーズスイッチを同時にＯＮとした場合におけるデジタルカメラとフィルムカメラの露光のタイミングを示すものである。図に示されるように、シャッターレリーズスイッチをＯＮとすると、デジタルカメラでは、ミラー跳ね上げ時間経過後にシャッターが所定時間開となって露光が行われるが、フィルムカメラではミラー跳ね上げ時間にフォーカルプレーンシャッターの動作時間が加わり、その後に開となって露光が行われるため露光の時点がずれてしまう。そのため、フィルムカメラのシャッターの開動作に同期させてストロボの発光を行わせると、デジタルカメラは、ストロボが発光する前に露光して被写体の画像を取り込んでしまうことになる。
【００１３】
一方、写真館等の専門家が使用するフィルムカメラには、フォーカルプレーンシャッターではなくレンズシャッターを用いたものもあり、このようなフィルムカメラでは、他のフィルムカメラと比較して、シャッターレリーズスイッチをＯＮとしてから実際に露光するまでの時間が短い。
【００１４】
またデジタルカメラにおいては、シャッターレリーズスイッチをＯＮとしてから実際に露光するまでの時間は、メーカーによって、また機種によって大幅に異なる。
【００１５】
以上のことから、被写体をフィルムカメラとデジタルカメラで同時に撮影して両者の相乗効果を図るためには、両者のシャッター動作特性に対応して如何に精度良く両者を同期させるかが重要な点となっている。
【００１６】
本発明は以上の従来の課題を鑑みて創案されたもので、複数機種のフィルムカメラとデジタルカメラに対して、同期させた撮影を行えるようにすることを目的とするものである。
【課題を解決するための手段】
【００１７】
上述した目的を達成するために、本発明では、同期装置本体と、リモートスイッチと、フィルムカメラ及びデジタルカメラの夫々のリモートレリーズ機能入力部と同期装置本体のリモートレリーズ機能出力部とをコネクタを介して接続するケーブルとを構成要素とし、同期装置本体には、リモートレリーズ機能出力部に接続したフィルムカメラのケーブルにより機種を判別する機種判別手段と、遅延時間を選択可能な遅延時間選択手段と、機種判別手段で判別した機種と、遅延時間選択手段で選択した遅延時間とから、フィルムカメラのリモートシャッターレリーズ信号に対するデジタルカメラのリモートシャッターレリーズ信号の遅延時間を設定する遅延時間設定手段と、フィルムカメラとデジタルカメラに夫々対応するリモートレリーズ機能出力部に上記遅延時間設定手段により設定した遅延時間を隔てて夫々のリモートシャッターレリーズ信号を発生させるためのリモートシャッターレリーズ信号発生手段とを備えたフィルムカメラとデジタルカメラの同期撮影装置を提案するものである。
【００１８】
また本発明では、以上の構成において、デジタルカメラのリモートシャッターレリーズ信号発生手段と対応するリモートレリーズ機能出力部間に、調節可能な遅延時間を付加して、フィルムカメラのリモートシャッターレリーズ信号に対するデジタルカメラのリモートシャッターレリーズ信号の遅延時間を調整可能な遅延時間調整手段を設けることを提案している。
【００１９】
また本発明では、上記の構成において、遅延時間調整手段は、カスケード接続した２つの単安定マルチバイブレータにより構成し、前段の単安定マルチバイブレータのパルス幅の調整により付加する遅延時間を調節可能とし、後段の単安定マルチバイブレータによりリモートシャッターレリーズ信号を発生させることを提案している。
【００２０】
さらに本発明では、以上の構成において、フィルムカメラのケーブルには、コネクタの複数の空きピンから、機種に応じて選択した空きピン間を短絡することにより機種判別情報を持たせ、同期装置本体の機種判別手段は、短絡した空きピンに対応する同期装置本体側のコネクタのピンに接続した機種判別線の信号を検出して行う構成としたフィルムカメラとデジタルカメラの同期撮影装置を提案している。
【００２１】
さらに本発明では、以上の構成において、リモートレリーズ機能には、リモートシャッターレリーズ機能にオートフォーカス機能を加えており、リモートスイッチには、オートフォーカス機能に対応するスイッチ部と、リモートシャッターレリーズ機能に対応するスイッチ部とを設けることを提案している。
【００２２】
さらに本発明では、以上の構成において、リモートスイッチは、共通の押しボタンの押動操作において、オートフォーカス機能の動作範囲の内側にリモートシャッターレリーズ機能の動作範囲を設定した構成とすることを提案している。
【発明の効果】
【００２３】
以上の本発明では、同期装置本体は、リモートレリーズ機能出力部に接続したフィルムカメラのケーブルにより機種を判別すると共に、ケーブルを介して接続するデジタルカメラの機種に応じて遅延時間設定手段の遅延時間に対応する指標を選択することにより、同期装置本体にフィルムカメラとデジタルカメラのシャッター動作特性が入力される。
【００２４】
こうして同期装置本体は、判別した機種と、遅延時間選択手段で指標により選択した遅延時間とから、フィルムカメラのリモートシャッターレリーズ信号に対するデジタルカメラのリモートシャッターレリーズ信号の遅延時間を機種に応じて設定することができ、この遅延時間を隔ててフィルムカメラとデジタルカメラに夫々対応するリモートレリーズ機能出力部にリモートシャッターレリーズ信号を発生させることにより、フィルムカメラとデジタルカメラの両者のシャッター動作特性の差異を吸収して、両者を正確に同期させた撮影を行うことができる。
【００２５】
デジタルカメラのシャッター動作特性はメーカーや機種によってかなり違いがあるため、上述した遅延時間選択手段に加えて、遅延時間調整手段を設けることにより、多機種のデジタルカメラに対応することができる。
【発明を実施するための最良の形態】
【００２６】
フィルムカメラの機種の判別は、そのケーブルのコネクタの複数の空きピンから、機種に応じて選択した空きピン間を短絡することにより機種判別情報を持たせると共に、同期装置本体の機種判別手段は、短絡した空きピンに対応する同期装置本体側のコネクタのピンに接続した機種判別線の信号を検出して行う構成とすれば、フィルムカメラの機種の判別を確実に自動的に行うことができるので、使い勝手が良好である。
【実施例１】
【００２７】
次に本発明の実施例を添付図面を参照して説明する。
図１は本発明に係る同期撮影装置の全体構成の一例を示す説明図であり、この実施例は主要な構成要素を周辺機器接続制御用ＩＣ（PIC:Periferal Interface Controller）を用いて構成したものである。勿論、他の実施例としては主要な構成要素をコンピュータ装置によって構成したり、ディスクリートな回路素子を用いて構成することもできる。
符号１の二点鎖線で囲まれた部分は同期装置本体を示すもので、また符号２はリモートスイッチ、３（３ａ，３ｂ）はフィルムカメラ、４はデジタルカメラを示すものである。図においてフィルムカメラ３ａ，３ｂは２台が示されているが、これらは選択的に使用するものであるから、一方のフィルムカメラ３ｂ及びそれに対応する要素は便宜的に破線により示している。また符号５はフィルムカメラ３のリモートレリーズ機能入力部６と同期装置本体１のリモートレリーズ機能出力部７とをコネクタ８（８ｉ，８ｏ）を介して接続するケーブルを示すものである。また符号９はデジタルカメラ４のリモートレリーズ機能入力部１０と同期装置本体１のリモートレリーズ機能出力部１１とをコネクタ１２（１２ｉ，１２ｏ）を介して接続するケーブルを示すものである。しかして本発明の同期撮影装置は、上述したとおり、概ね、これらの同期装置本体１と、リモートスイッチ２と、フィルムカメラ３及びデジタルカメラ４の夫々のリモートレリーズ機能入力部６、１０と同期装置本体１のリモートレリーズ機能出力部７、１１とをコネクタ８、１２を介して接続するケーブル５、９とを構成要素としている。尚、符号１３はリモートスイッチ２と同期装置本体１のスイッチ入力部とをコネクタ１４（１４ｏ，１４ｉ）を介して接続するケーブルである。
【００２８】
ここでこの実施例では、リモートレリーズ機能は、リモートシャッターレリーズ機能とオートフォーカス機能とを含んでいる。従ってフィルムカメラ３及びデジタルカメラ４におけるリモートレリーズ機能入力部６、１０は、単一の入力端子から構成する他、複数の入力端子から構成するものでも良い。
【００２９】
次に同期装置本体１の実施例を説明すると、この実施例では主要な構成要素を周辺機器接続制御用ＩＣ（PIC:Periferal Interface Controller）を用いて構成している。
【００３０】
即ち、符号１５は制御用ＩＣを示すもので、例えばPIC16F84A等の型式のものを使用することができる。端子MCLAはマスターリセット入力用であり、この端子には電圧監視回路１６の出力が接続されていて、電池電圧、この場合、Ｖdd電圧が、所定電圧である例えば６Ｖから降下して４．５Ｖ以下になった場合に電圧監視回路１６が動作して、端子MCLAにリセット信号を与えて、全ての動作を停止させるように構成している。
【００３１】
符号１８は５つの切換接点１７ａ〜１７ｅを有する選択操作スイッチであり、これらの切換接点１７ａ〜１７ｅは端子群RB0〜RB4に接続すると共に抵抗によりプルアップしており、共通接点１７ｆは接地している。このため、図示の状態では、共通接点１７ｆと導通状態の接点１７ｃに対応する端子RB2がＬレベルになって、これが選択信号となる。従って、これらの要素が、上記遅延時間選択手段を構成している。
【００３２】
上述したとおり、リモートレリーズ機能は、リモートシャッターレリーズ機能とオートフォーカス機能とを含んでおり、フィルムカメラ３のリモートレリーズ機能出力部７は、リモートシャッターレリーズ出力回路１９ａとオートフォーカス出力回路１９ｂとから構成しており、これらの出力部１９ａ，１９ｂはフォトリレーを使用してＯＮ抵抗を低くしている。
【００３３】
リモートスイッチ２には、オートフォーカス機能に対応するスイッチ接点２０ａと、リモートシャッターレリーズ機能に対応するスイッチ接点２０ｂと、接地接点２０ｃを備えており、スイッチ接点２０ａは、コネクタ１４（１４ｏ，１４ｉ）の１ピンを介して、上記オートフォーカス出力回路１９ｂの入力部と、デジタルカメラ４のリモートレリーズ機能出力部１１のコネクタ１２ｉ，１２ｏの１ピンに接続しており、またＰＩＣ１５の端子RA2に接続された保持回路２０の出力部に接続している。このようにリモートスイッチ２のオートフォーカス機能に対応するスイッチ接点２０ａは、オートフォーカス機能の開始操作において接地接点２０ｃによりＬレベルに移行することにより、フィルムカメラ３のリモートレリーズ機能出力部６のオートフォーカス出力回路１９ｂを動作させ、またコネクタ１２の１ピンからケーブル９を介してデジタルカメラ４のオートフォーカス機能を動作させる構成としている。このリモートスイッチ２は、例えば共通の押しボタンの押動操作において、オートフォーカス機能の動作範囲の内側にリモートシャッターレリーズ機能の動作範囲を設定した構成とすることができる。
【００３４】
一方、リモートスイッチ２のリモートシャッターレリーズ機能に対応するスイッチ接点２０ｂはコネクタ１４の３ピンを介してＰＩＣ１５の端子RB5に接続している。即ち、ＰＩＣ１５の端子RB5は、リモートスイッチ２におけるリモートシャッターレリーズ機能の開始操作において接地接点２０ｃによりＬレベルに移行することにより、ＰＩＣ１５の端子RB5をＬレベルに移行して、リモートシャッターレリーズ機能を動作させる構成としている。
【００３５】
また、リモートシャッターレリーズ出力回路１９ａの入力部はＰＩＣ１５の端子RA1に接続しており、ＰＩＣ１５は、この端子RA1をＬレベルに移行させることによりリモートシャッターレリーズ出力回路１９ａを動作させる構成としている。
【００３６】
一方、ＰＩＣ１５において、デジタルカメラ４に対してのリモートシャッターレリーズ機能の動作出力は端子RA0から発するように構成しているが、この端子RA0と、リモートレリーズ機能出力部１１との間には遅延時間調整手段２１を構成している。
【００３７】
この遅延時間調整手段２１は、カスケード接続した２つの単安定マルチバイブレータ２２ａ，２２ｂにより構成し、前段の単安定マルチバイブレータ２２ａのパルス幅の調整により、付加する遅延時間を調節可能とし、また後段の単安定マルチバイブレータ２２ｂにより、所定時間のリモートシャッターレリーズ信号を発生させる構成としている。この構成において、前段の単安定マルチバイブレータ２２ａは可変抵抗器２３によりパルス幅を調節可能としている。後段の単安定マルチバイブレータ２２ｂのパルス出力はＨレベルであり、この出力によりスイッチ回路２４を動作させてＬレベルの出力を得る構成としている。また後段の単安定マルチバイブレータ２２ｂの出力は、ＰＩＣ１５の端子RA3に入力しており、この端子RA3を介して遅延時間調整手段２１の動作を監視する構成としている。
【００３８】
一方、フィルムカメラ３（３ａ，３ｂ）のケーブル５には、コネクタ８ｉの複数の空きピンから、機種に応じて選択した空きピン間を短絡することにより機種判別情報を持たせている。即ち、フィルムカメラ３ａは機種がＭ社１型であり、このフィルムカメラ３ａのケーブル５ａでは、コネクタ８ｉの空きピン１，３間を短絡しており、またフィルムカメラ３ｂは機種がＦ社２型であり、このケーブル５ｂではコネクタ８ｉの空きピン７，８間を短絡線２５ａ，２５ｂにより短絡している。
【００３９】
一方、同期装置本体１側においては、上記コネクタ８ｉの短絡した組を成す空きピンの一方側に対応するコネクタ８ｏのピン、この場合、ピン１と８を接地すると共に、Ｍ社１型のフィルムカメラ３ａのケーブル５ａの短絡したピンに対応するコネクタ８ｏの３ピンをＰＩＣ１５の端子RB6に、またＦ社２型のフィルムカメラ３ｂのケーブル５ｂの短絡したピンに対応するコネクタ８ｏの７ピンはＰＩＣ１５の端子RB7に接続している。
【００４０】
以上の構成においては、Ｍ社１型のフィルムカメラ３ａを使用する場合において、それ用のケーブル５ａのコネクタ８ｉをコネクタ８ｏに接続すると、その３ピンに対応するＰＩＣ１５の端子RB6がＬレベルとなり、ＰＩＣ１５の端子RB7はＨレベルであるので、ＰＩＣ１５はこれらの端子の信号レベルにより、ケーブル５ａを介して接続されたフィルムカメラ３ａの機種を判別することができる。
【００４１】
同様に、Ｆ社２型のフィルムカメラ３ｂを使用する場合において、それ用のケーブル５ａのコネクタ８ｉをコネクタ８ｏに接続すると、その７ピンに対応するＰＩＣ１５の端子RB7がＬレベルとなり、ＰＩＣ１５の端子RB6はＨレベルであるので、ＰＩＣ１５はこれらの端子の信号レベルにより、ケーブル５ｂを介して接続されたフィルムカメラ３ｂの機種を判別することができる。
【００４２】
以上と同様にして、以上に説明した機種以外のフィルムカメラ３を使用可能とする場合には、それに応じて以上とは異なる空きピンの組を短絡すると共に、その一方側のピンに対応する信号線をＰＩＣ１５の端子に接続することにより、それらの機種の自動判別も可能となる。
【００４３】
しかしながら写真館等において専門家が使用するフィルムカメラ３は余り機種が多くないので、本発明の同期撮影装置で使用する機種を例えば３種類程度に限定した場合には、上記以外の機種のフィルムカメラ３用のケーブル５では、上述した空きピンの組の短絡を行わなければ、これを接続してもＰＩＣ１５の端子RB6、端子RB7はいずれもＨレベルであるので、これによって上記以外の他の１機種の自動判別を行うことができる。
【００４４】
以上に説明したフィルムカメラ３の機種判別手段は、フィルムカメラ３のケーブル５にコネクタ８ｉの複数の空きピンから、機種に応じて選択した空きピン間を短絡することにより機種判別情報を持たせ、同期装置本体１の機種判別手段は、短絡した空きピンに対応する同期装置本体１側のコネクタ８ｏのピンに接続した機種判別線の信号を検出して行う構成としているが、この他、例えば、フィルムカメラ３のケーブル５側のコネクタの周囲等の複数個所から選択した位置に突起等を突設して、この突起等の位置を同期装置本体１側のコネクタ８ｏに設けた検出装置で検出することにより機種を自動判別するように構成することもできる。
【００４５】
尚、図中符号２６は電源がＯＮ状態を示すランプ、２７はクロック用のクリスタルである。
【００４６】
以上の構成において、本発明の同期撮影装置を用いてフィルムカメラ３とデジタルカメラ４の同期撮影を行う場合には、リモートスイッチ２とフィルムカメラ３とデジタルカメラ４のケーブル１３，５，９の夫々のコネクタ１４ｏ，８ｉ，１２ｉを同期装置本体１側のコネクタ１４ｉ，８ｏ，１２ｏに接続して電源をＯＮとする。
【００４７】
上述したように同期装置本体１は、フィルムカメラ３の機種毎に構成されたケーブル５により機種を判別し、その情報がＰＩＣ１５内の所定の処理用記憶部に記憶される。
【００４８】
次いで撮影者は、使用するデジタルカメラ４の機種に応じて、遅延時間選択手段を構成する選択操作スイッチ１８を操作し、共通接点１７ｆと導通させる接点１７ａ〜１７ｅを選択する。選択操作スイッチ１８の操作部には、これらの接点１７ａ〜１７ｅに対応して連続番号１〜５等の指標を表示し、デジタルカメラ４の機種と指標との対応表等を利用するようにすれば、遅延時間の選択を確実に行うことができる。
【００４９】
以上の構成において、本発明における同期撮影の動作を、図２に示す簡略化したタイムチャートを参照して説明する。
【００５０】
即ち、リモートスイッチ２の共通の押しボタンを押動操作すると、まず上記接点２０ａ側が接地され、Ｌレベルのオートフォーカス信号が発生する。このオートフォーカス信号は、上述したとおり夫々のケーブル５，９を介してフィルムカメラ３とデジタルカメラ４の両者に伝達され、夫々のオートフォーカス機能が動作を開始する。
【００５１】
次いで、リモートスイッチ２の共通の押しボタンを更に押動操作すると、オートフォーカス信号はそのままで、Ｌレベルのリモートシャッターレリーズ信号が発生する。このリモートシャッターレリーズ信号は上述したようにＰＩＣ１５の端子RB5に入力されて、ＰＩＣ１５の同期撮影動作が開始する。
【００５２】
即ち、ＰＩＣ１５は、リモートスイッチ２からリモートシャッターレリーズ信号が入力されると、まず端子RA1をＬレベルとしてリモートシャッターレリーズ出力回路１９ａをＯＮとする。リモートシャッターレリーズ出力回路１９ａがＯＮになると、コネクタ８ｉ、８ｏの２ピンが４ピンと同電位となり、これによるリモートシャッターレリーズ信号がケーブル５（５ａ，５ｂ）を通してフィルムカメラ３ａに伝達され、フィルムカメラ３ａのリモートシャッターレリーズ動作が開始する。
【００５３】
一方、リモートスイッチ２からリモートシャッターレリーズ信号が入力されたＰＩＣ１５は、機種判別手段により判別した機種と、遅延時間選択手段で指標により選択した遅延時間、即ち遅延時間選択手段の選択操作スイッチ１８の状態とから、フィルムカメラ３のリモートシャッターレリーズ信号に対するデジタルカメラのリモートシャッターレリーズ信号の遅延時間を導出し、この遅延時間が経過した後に、端子RA0からデジタルカメラ４のリモートシャッターレリーズ信号を発生する。このリモートシャッターレリーズ信号は遅延時間調整手段２１に入力され、前段の単安定マルチバイブレータ２２ａの可変抵抗器２３により調節される遅延時間経過後に、後段の単安定マルチバイブレータ２２ｂから所定のリモートシャッターレリーズ信号が発生され、このリモートシャッターレリーズ信号は、スイッチ回路を介してＬレベルの信号として変換され、コネクタ１２ｉ，１２ｏの３ピンを介してケーブル９によりデジタルカメラ４に伝達され、デジタルカメラ４のリモートシャッターレリーズ動作が開始する。
【００５４】
以上のように本発明では、判別したフィルムカメラ３の機種と、遅延時間選択手段で指標により選択した遅延時間とから、フィルムカメラ３のリモートシャッターレリーズ信号に対するデジタルカメラ４のリモートシャッターレリーズ信号の遅延時間を機種に応じて設定することができ、この遅延時間を隔ててフィルムカメラ３とデジタルカメラ４に夫々対応するリモートシャッターレリーズ信号を発生させることにより、フィルムカメラ３とデジタルカメラ４の両者のシャッター動作特性の差異を吸収して、両者を正確に同期させた撮影を行うことができる。尚、以上の同期撮影動作においては、図９のタイムチャートで示す場合と同様に、フィルムカメラ３のシャッターの開動作に対応してストロボを発光させること、又は場合によってはデジタルカメラ４のシャッターの開動作に対応してストロボを発光させることにより、ストロボを用いた同期撮影動作が行われ、このようなストロボの発光動作は、本発明の同期装置本体１の機能として組み込むこともできるし、フィルムカメラ３またはデジタルカメラ４の機能をそのまま利用することもできる。
【００５５】
次に本発明における同期撮影の動作の流れを図３〜図７に示す流れ図により説明すると以下に示すとおりである。
まず図３は主ルーチンであり、まずステップＳ１においては、リモートスイッチ２のリモートシャッターレリーズ信号がＯＮであるか否かを判断し、ＯＮの場合にはステップＳ２に移行する。尚、リモートシャッターレリーズ信号は、流れ図においては「Ｓ」と略記する。
【００５６】
次いでステップＳ２においては、まず機種判別手段において判別した機種がＦ社３型であるか否かを判断し、ＹＥＳの場合にはＦ社３型ルーチンに移行すると共に、ＮＯの場合には次のステップＳ３に移行する。
【００５７】
次いでステップＳ３においては、まず機種判別手段において判別した機種がＦ社２型であるか否かを判断し、ＹＥＳの場合にはＦ社２型ルーチンに移行すると共に、ＮＯの場合には次のステップＳ４に移行する。
【００５８】
次いでステップＳ４においては、まず機種判別手段において判別した機種がＭ社１型であるか否かを判断し、ＹＥＳの場合にはＭ社１型ルーチンに移行すると共に、ＮＯの場合にはステップＳ２に移行する。
【００５９】
次に図４は主ルーチンの上記ステップＳ２において分岐したＦ社３型ルーチンの流れを示す流れ図である。
まずステップＳ５においては、フィルムカメラ３はオートフォーカス信号（以降ＡＦと略記する。）と共にリモートシャッターレリーズ信号をＯＮとするが、デジタルカメラ４についてはオートフォーカス信号のみＯＮとする。
【００６０】
次いでステップＳ６においては、Ｆ社３型に対して予め設定された１５０msの遅延を行ってステップＳ７に移行する。
【００６１】
次いでステップＳ７においては、遅延時間選択手段の選択操作スイッチ１８の操作状態を判断し、それがＣＨ１を選択しているか否かを判断する。判断の結果、ＮＯの場合にはステップＳ８に移行し、ＹＥＳの場合にはステップＳ９に移行して、デジタルカメラ４のリモートシャッターレリーズ信号をＯＮとして、終了ルーチンに移行する。従って、この場合には、フィルムカメラ３のリモートシャッターレリーズ信号が発生してから１５０ms後にデジタルカメラ４のリモートシャッターレリーズ信号が発生するという同期撮影動作が行われる。
【００６２】
尚、ＣＨ１は上記切換接点１７ａに対応するものであり、同様にＣＨ２〜ＣＨ５は切換接点１７ｂ〜１７ｅに夫々対応するものである。
【００６３】
ステップＳ７においてステップＳ８に分岐した場合には、ステップＳ８においては、遅延時間選択手段の選択操作スイッチ１８の操作状態を判断し、それがＣＨ２を選択しているか否かを判断する。判断の結果、ＮＯの場合にはステップＳ１０に移行し、ＹＥＳの場合にはステップＳ１１に移行して３３ms遅延した後、ステップＳ１２に移行して、デジタルカメラ４のリモートシャッターレリーズ信号をＯＮとして、終了ルーチンに移行する。従って、この場合には、フィルムカメラ３のリモートシャッターレリーズ信号が発生してから１８０ms（１５０＋３３）後にデジタルカメラ４のリモートシャッターレリーズ信号が発生するという同期撮影動作が行われる。
【００６４】
ステップＳ８においてステップＳ１０に分岐した場合には、ステップＳ１０においては、遅延時間選択手段の選択操作スイッチ１８の操作状態を判断し、それがＣＨ３を選択しているか否かを判断する。判断の結果、ＮＯの場合にはステップＳ１３に移行し、ＹＥＳの場合にはステップＳ１４に移行して５０ms遅延した後、ステップＳ１５に移行して、デジタルカメラ４のリモートシャッターレリーズ信号をＯＮとして、終了ルーチンに移行する。従って、この場合には、フィルムカメラ３のリモートシャッターレリーズ信号が発生してから２００ms（１５０＋５０）後にデジタルカメラ４のリモートシャッターレリーズ信号が発生するという同期撮影動作が行われる。
【００６５】
ステップＳ１０においてステップＳ１３に分岐した場合には、ステップＳ１３においては、遅延時間選択手段の選択操作スイッチ１８の操作状態を判断し、それがＣＨ４を選択しているか否かを判断する。判断の結果、ＮＯの場合にはステップＳ１６に移行し、ＹＥＳの場合にはステップＳ１７に移行して７０ms遅延した後、ステップＳ１８に移行して、デジタルカメラ４のリモートシャッターレリーズ信号をＯＮとして、終了ルーチンに移行する。従って、この場合には、フィルムカメラ３のリモートシャッターレリーズ信号が発生してから２２０ms（１５０＋５０）後にデジタルカメラ４のリモートシャッターレリーズ信号が発生するという同期撮影動作が行われる。
【００６６】
次にステップＳ１３においてステップＳ１６に分岐した場合には、ステップＳ１６においては、遅延時間選択手段の選択操作スイッチ１８の操作状態を判断し、それがＣＨ５を選択しているか否かを判断する。判断の結果、ＮＯの場合にはステップＳ１７に移行し、ＹＥＳの場合にはステップＳ１９に移行して９０ms遅延した後、ステップＳ２０に移行して、デジタルカメラ４のリモートシャッターレリーズ信号をＯＮとして、終了ルーチンに移行する。従って、この場合には、フィルムカメラ３のリモートシャッターレリーズ信号が発生してから２４０ms（１５０＋９０）後にデジタルカメラ４のリモートシャッターレリーズ信号が発生するという同期撮影動作が行われる。
【００６７】
次に図５は主ルーチンの上記ステップＳ３において分岐したＦ社２型ルーチンの流れを示す流れ図である。この流れは、遅延時間が異なるのみで、他の動作は図４のルーチンと同様であり、この流れは図によって自明であるので、動作の説明は省略する。
【００６８】
次に図６は主ルーチンの上記ステップＳ４において分岐したＭ社１型ルーチンの流れを示す流れ図である。
まずステップＳ２１においては、遅延時間選択手段の選択操作スイッチ１８の操作状態を判断し、それがＣＨ１を選択しているか否かを判断する。判断の結果、ＮＯの場合にはステップＳ２２に移行し、ＹＥＳの場合にはステップＳ９に移行して、デジタルカメラ４はオートフォーカス信号と共にリモートシャッターレリーズ信号をＯＮとするが、フィルムカメラ３についてはオートフォーカス信号のみＯＮとする。
【００６９】
次いでステップＳ２４において、予め設定された１５msの遅延を行ってステップＳ２５に移行し、フィルムカメラ３のリモートシャッターレリーズ信号をＯＮとして、終了ルーチンに移行する。従って、この場合には、上述した２機種、即ちＦ社３型、Ｆ社２型の場合とは異なり、デジタルカメラ３のリモートシャッターレリーズ信号が発生してから１５ms後にフィルムカメラ３のリモートシャッターレリーズ信号が発生するという同期撮影動作が行われる。
【００７０】
ステップＳ２１においてステップＳ２２に分岐した場合には、ステップＳ２２においては、遅延時間選択手段の選択操作スイッチ１８の操作状態を判断し、それがＣＨ２を選択しているか否かを判断する。判断の結果、ＮＯの場合にはステップＳ２６に移行し、ＹＥＳの場合にはステップＳ２７に移行して、デジタルカメラ３とフィルムカメラ４の両者につき、オートフォーカス信号に加えてリモートシャッターレリーズ信号をＯＮとして、終了ルーチンに移行する。従って、この場合には、デジタルカメラ３のリモートシャッターレリーズ信号と、フィルムカメラ３のリモートシャッターレリーズ信号が同時に発生するという同期撮影動作が行われる。
【００７１】
次いでステップＳ２２においてステップＳ２６に移行した場合には、ステップＳ２２においては、遅延時間選択手段の選択操作スイッチ１８の操作状態を判断し、それがＣＨ３を選択しているか否かを判断する。判断の結果、ＮＯの場合にはステップＳ２８に移行し、ＹＥＳの場合にはステップＳ２９に移行する。ステップＳ２９においては、フィルムカメラ３はオートフォーカス信号（以降ＡＦと略記する。）と共にリモートシャッターレリーズ信号をＯＮとするが、デジタルカメラ４についてはオートフォーカス信号のみＯＮとする。
【００７２】
次いでステップＳ３０に移行して８ms遅延の後、ステップＳ３１に移行して、デジタルカメラ４のリモートシャッターレリーズ信号をＯＮとして、終了ルーチンに移行する。従って、この場合には、フィルムカメラ３のリモートシャッターレリーズ信号が発生してから８ms後にデジタルカメラ４のリモートシャッターレリーズ信号が発生するという同期撮影動作が行われる。
【００７３】
次いでステップＳ２６においてステップＳ２８に移行した場合には、ステップＳ２８においては、遅延時間選択手段の選択操作スイッチ１８の操作状態を判断し、それがＣＨ４を選択しているか否かを判断する。判断の結果、ＮＯの場合にはステップＳ３２に移行し、ＹＥＳの場合にはステップＳ３３に移行する。ステップＳ３３においては、フィルムカメラ３はオートフォーカス信号（以降ＡＦと略記する。）と共にリモートシャッターレリーズ信号をＯＮとするが、デジタルカメラ４についてはオートフォーカス信号のみＯＮとする。
【００７４】
次いでステップＳ３４に移行して５０ms遅延の後、ステップＳ３５に移行して、デジタルカメラ４のリモートシャッターレリーズ信号をＯＮとして、終了ルーチンに移行する。従って、この場合には、フィルムカメラ３のリモートシャッターレリーズ信号が発生してから５０ms後にデジタルカメラ４のリモートシャッターレリーズ信号が発生するという同期撮影動作が行われる。
【００７５】
次いでステップＳ２８においてステップＳ３２に移行した場合には、ステップＳ３２においては、遅延時間選択手段の選択操作スイッチ１８の操作状態を判断し、それがＣＨ５を選択しているか否かを判断する。判断の結果、ＮＯの場合にはステップＳ２１に移行し、ＹＥＳの場合にはステップＳ３６に移行する。ステップＳ３６においては、フィルムカメラ３はオートフォーカス信号（以降ＡＦと略記する。）と共にリモートシャッターレリーズ信号をＯＮとするが、デジタルカメラ４についてはオートフォーカス信号のみＯＮとする。
【００７６】
次いでステップＳ３７に移行して６０ms遅延の後、ステップＳ３８に移行して、デジタルカメラ４のリモートシャッターレリーズ信号をＯＮとして、終了ルーチンに移行する。従って、この場合には、フィルムカメラ３のリモートシャッターレリーズ信号が発生してから６０ms後にデジタルカメラ４のリモートシャッターレリーズ信号が発生するという同期撮影動作が行われる。
【００７７】
以上に説明したように、遅延時間設定手段は、使用するデジタルカメラ４の機種に応じて、選択操作スイッチ１８を操作するものであり、主要な機種に関しては、上述したようにデジタルカメラ４の機種と指標との対応表等を利用するようにすれば、遅延時間の選択を確実に行うことができるのであるが、機種に応じて選択した場合に、実際のシャッター特性が若干異なる場合には、上述した遅延時間調整手段によって微調整を行うことができ、例えば２０ms程度まで遅延時間を付加することができる。この遅延時間調整手段は、同一機種の個体差の調整に利用できる他、想定されていないデジタルカメラ４を使用する場合の微調整に利用することができる。
【００７８】
図７は、以上のフィルムカメラ３の各機種のルーチンにおける、フィルムカメラ３のリモートシャッターレリーズ信号に対してのデジタルカメラ４のリモートシャッターレリーズ信号の遅延時間をまとめて表で示すものである。
【００７９】
次に図８は、終了ルーチンの動作の流れを示すものである。
終了ルーチンはステップＳ３９においてリモートスイッチ２からリモートシャッターレリーズ信号が入力されているか否か、即ちリモートスイッチ２の押動操作が停止したか否かを判断する。判断の結果、ＮＯの場合、即ちリモートスイッチ２からリモートシャッターレリーズ信号が入力されていない場合には次のステップＳ４０に移行し、このステップＳ４０において、遅延時間調整手段が動作中か否かを判断する。この動作中か否かの判断は、ＰＩＣ１５の端子RA3に入力される後段の単安定マルチバイブレータ２２ｂの出力信号により行う。
【００８０】
判断の結果、遅延時間調整手段が動作中の場合にはステップＳ４０に戻って、以降、ループ動作により遅延時間調整手段の動作監視を行う。また判断の結果、遅延時間調整手段が所定の動作後に停止した場合には、ステップＳ４１に移行してフィルムカメラ３とデジタルカメラ４の両方のリモートシャッターレリーズ信号をＯＦＦとして所定の撮影動作を停止し、この後、ステップＳ４２において５ms遅延の後、ステップＳ４３に移行して、フィルムカメラ３とデジタルカメラ４の両方のオートフォーカス信号をＯＦＦとして撮影動作を完了する。
【産業上の利用可能性】
【００８１】
本発明は以上の通りであるので、フィルムカメラとデジタルカメラの同期撮影において、以下に示すとおり、数々の特徴があり、産業上の利用可能性が大である。
【００８２】
１．本発明では、同期装置本体は、リモートレリーズ機能出力部に接続したフィルムカメラのケーブルにより機種を判別すると共に、ケーブルを介して接続するデジタルカメラの機種に応じて遅延時間設定手段の遅延時間に対応する指標を選択することにより、同期装置本体にフィルムカメラとデジタルカメラのシャッター動作特性が入力される。
【００８３】
２．こうして同期装置本体は、判別した機種と、遅延時間選択手段で指標により選択した遅延時間とから、フィルムカメラのリモートシャッターレリーズ信号に対するデジタルカメラのリモートシャッターレリーズ信号の遅延時間を機種に応じて設定することができ、この遅延時間を隔ててフィルムカメラとデジタルカメラに夫々対応するリモートレリーズ機能出力部にリモートシャッターレリーズ信号を発生させることにより、フィルムカメラとデジタルカメラの両者のシャッター動作特性の差異を吸収して、両者を正確に同期させた撮影を行うことができる。
【００８４】
３．デジタルカメラのシャッター動作特性はメーカーや機種によってかなり違いがあるため、上述した遅延時間選択手段に加えて、遅延時間調整手段を設けることにより、多機種のデジタルカメラに対応することができる。
【００８５】
４．フィルムカメラの機種の判別は、そのケーブルのコネクタの複数の空きピンから、機種に応じて選択した空きピン間を短絡することにより機種判別情報を持たせると共に、同期装置本体の機種判別手段は、短絡した空きピンに対応する同期装置本体側のコネクタのピンに接続した機種判別線の信号を検出して行う構成とすれば、フィルムカメラの機種の判別を確実に自動的に行うことができるので、使い勝手が良好である。
【図面の簡単な説明】
【００８６】
【図１】本発明に係る同期撮影装置の全体構成の一例を示す説明図である。
【図２】本発明における同期撮影の動作を簡略化して示すタイムチャートである。
【図３】本発明における同期撮影装置の動作を実現するルーチンを示す流れ図である。
【図４】本発明における同期撮影装置の動作を実現する他のルーチンを示す流れ図である。
【図５】本発明における同期撮影装置の動作を実現する更に他のルーチンを示す流れ図である。
【図６】本発明における同期撮影装置の動作を実現する更に他のルーチンを示す流れ図である。
【図７】フィルムカメラのリモートシャッターレリーズ信号に対してのデジタルカメラのリモートシャッターレリーズ信号の遅延時間をまとめて表すものである。
【図８】本発明における同期撮影装置の動作を実現する更に他のルーチンを示す流れ図である。
【図９】フィルムカメラとデジタルカメラとの同期撮影を、本発明の装置を用いないで行った場合の動作を示すタイムチャートである。
【符号の説明】
【００８７】
１                      同期装置本体
２                      リモートスイッチ
３（３ａ，３ｂ）        フィルムカメラ
４                      デジタルカメラ
５，９，１３            ケーブル
６，１０                リモートレリーズ機能入力部
７，１１                リモートレリーズ機能出力部
８（８ｉ，８ｏ）        コネクタ
９                      ケーブル
１２（１２ｉ，１２ｏ）  コネクタ
１４（１４ｉ，１４ｏ）  コネクタ
１５                    ＰＩＣ
１６                    電圧監視回路
１７ａ〜１７ｅ          切換接点
１８                    選択操作スイッチ
１９ａ                  リモートシャッターレリーズ出力回路
１９ｂ                  オートフォーカス出力回路
２０ａ，２０ｂ，２０ｃ  接点
２１                    遅延時間調整手段
２２ａ，２２ｂ          単安定マルチバイブレータ
２３                    可変抵抗器
２４                    スイッチ回路
２５ａ，２５ｂ          短絡線
２６                    電源ランプ
２７                    クリスタル
【図１】
2006243148.tif 000003
【図２】
2006243148.tif 000004
【図３】
2006243148.tif 000005
【図４】
2006243148.tif 000006
【図５】
2006243148.tif 000007
【図６】
2006243148.tif 000008
【図７】
2006243148.tif 000009
【図８】
2006243148.tif 000010
【図９】
2006243148.tif 000011